(57)【要約】【課題】  ボルトの回り止め機能に対する信頼性を向上させる。【解決手段】  耕耘爪締結装置１は、耕耘爪８５の基部８６に設けられた一対の連通孔８７，８８からフランジ８１に設けられた一対の各爪取付孔８２，８３に挿通されてナット４０と螺合して耕耘爪８５の基部８６をフランジ８１に固着する２本のボルト１０と、これらのボルトを挿通する座金板３０とを備える。座金板３０は、両側部にボルト軸部１１を挿通する挿通孔３１と、六角形状のボルト頭部１３の側面に沿って延びるボルト回動規制部３３とを有する。座金板３０の挿通孔３１にボルト軸部１１を挿通し、ボルト回動規制部３３の内側にボルト頭部１３を配置してボルト１０の回動を規制し、ボルト回動規制部３３の対向配置された平面部３３ａ、３３ｄの先端部を内側に折り曲げてボルト１０の抜け止めを行う。【選択図】  図２
2006230307.tif 000002
【特許請求の範囲】
【請求項１】
耕耘軸に設けられたフランジに耕耘爪を取り付ける耕耘爪締結装置であって、
前記耕耘爪の基部に設けられた一対の連通孔から前記フランジに設けられた一対の各爪取付孔に挿通されてナットと螺合して前記耕耘爪の基部を前記フランジに固着する２本のボルトと、
前記２本のボルトを挿着する座金板とを備え、
該座金板は、両側部に前記ボルトのボルト軸部を挿通する挿通孔と前記ボルトの六角形状のボルト頭部の側面に沿って延びるボルト回動規制部を有し、
前記座金板の前記挿通孔に前記ボルトのボルト軸部を挿通し、前記ボルト回動規制部の内側に前記ボルト頭部を配置して前記ボルトの回動を規制し、前記ボルト頭部の頂面を超えて延びるボルト回動規制部の先端部を内側に折り曲げて前記ボルトの前記ボルト軸部と反対側への移動を規制することを特徴とする耕耘爪締結装置。
【請求項２】
前記挿通孔はバーリング加工されて前記ボルト回動規制部が配設された側と反対側へ延びる筒状部を備え、前記挿通孔から延びるボルト軸部の基部側を囲む前記筒状部をかしめて、前記座金板に対する前記ボルトの軸方向への移動を規制することを特徴とする請求項１に記載の耕耘爪締結装置。
【請求項３】
耕耘軸に設けられたフランジに耕耘爪を取り付ける耕耘爪締結装置であって、
前記耕耘爪の基部に設けられた一対の連通孔から前記フランジに設けられた一対の各爪取付孔に挿通されてナットと螺合して前記耕耘爪の基部を前記フランジに固着する２本のボルトと、
前記２本のボルトを挿通する座金板とを備え、
該座金板は、両側部に前記ボルトのボルト軸部を挿通する挿通孔と前記ボルトの六角形状のボルト頭部の側面に沿って延びるとともに該ボルト頭部の座面側から頂面の手前側に延びるボルト回動規制部を有し、
前記座金板の前記挿通孔に前記ボルトのボルト軸部を挿通し、前記ボルト回動規制部の内側に前記ボルト頭部を配置して前記ボルトの回動を規制し、前記挿通孔はバーリング加工されて前記ボルト回動規制部が配設された側と反対側へ延びる筒状部を備え、前記挿通孔から延びるボルト軸部の基部側を囲む前記筒状部をかしめて、前記座金板に対する前記ボルトの軸方向への移動を規制することを特徴とする耕耘爪締結装置。
【発明の詳細な説明】
【技術分野】
【０００１】
本発明は、圃場を耕耘する耕耘ロータリの耕耘軸に耕耘爪を取り付けるための耕耘爪締結装置に関する。
【背景技術】
【０００２】
従来、圃場を耕耘する耕耘ロータリの耕耘軸に耕耘爪を取り付ける構造としては、耕耘爪の基部に設けられた一対の連通孔から耕耘軸に固着されたフランジに設けられた一対の各爪取付孔にボルトを挿通してナットと螺合して耕耘爪の基部をフランジに固着する構造が知られている。
【０００３】
この耕耘爪取付構造によれば、フランジに耕耘爪を取り付けるには、２本のボルトのそれぞれを耕耘爪の基部に設けられた一対の連通孔に挿通するとともに、フランジに設けられた一対の爪取付孔に挿通する。そして、フランジから突出したボルトにナットを螺合してフランジを介して耕耘爪を締め付ける。このナットの螺合操作の際に、ボルトがナットと共回りしないように、ボルト頭部を押さえ付ける必要があり、耕耘爪の取り付け作業の作業性が悪かった。
【０００４】
このような不都合を改良したものが特許文献１に記載の耕耘爪取付装置である。この耕耘爪取付装置６０は、図４（ａ）（側面図）に示すように、両側部に挿通孔６２を有した座金体６１と、これらの挿通孔６２に装着された２本のボルト６５を有してなる。ボルト６５のボルト軸６６の基端側端部にはローレット目を形成したローレット軸部６６ａが設けられ、このローレット軸部６６ａは挿通孔６２の内径よりも僅かに大径である。このため、ローレット軸部６６ａは挿通孔６２に圧入されて挿着される。その結果、２本のボルト６５は、座金体６１に対して一体的に固定される。このため、図４（ｂ）（断面図）に示すように、耕耘爪８５の基部に設けられた一対の連通孔８７からフランジ８１に設けられた一対の各爪取付孔８２に対してボルト６５を挿通してナット４０を螺合して締め付けても、ボルト６５が回ることはなく、また各ボルト頭部６７を押さえる必要もなく、ナット４０をそれぞれのボルトに対して締め付けて耕耘爪８５をフランジ８１に固着することができる。
【０００５】
【特許文献１】特許第３２４７８３５号公報
【発明の開示】
【発明が解決しようとする課題】
【０００６】
この特許文献１に記載の耕耘爪取付装置のボルトは、ボルト軸の基端側にローレット軸部が設けられており、専用品であって市販品をそのまま用いることができない。このため、コストが高いという問題がある。また、ボルトと座金体はローレット軸部を介して一体化されているが、ローレット軸部の外周に形成されたローレット目は座金体の挿通孔に圧入される際に、ローレット目の一部が塑性変形して破断する虞がある。従って、従来の耕耘爪取付装置は、ボルトと座金体との結合強度が弱くなる場合があり、ボルトの回り止め機能に対する信頼性が低いという問題を有する。
【０００７】
本発明は、このような問題を鑑みてなされたものであり、コストが安価であり、ボルトの回り止め機能に対する信頼性の高い耕耘爪締結装置を提供することを目的とする。
【課題を解決するための手段】
【０００８】
上記目的を達成するために本発明の耕耘爪締結装置は、耕耘軸に設けられたフランジに耕耘爪を取り付ける耕耘爪締結装置であって、耕耘爪の基部に設けられた一対の連通孔からフランジに設けられた一対の各爪取付孔に挿通されてナットと螺合して耕耘爪の基部をフランジに固着する２本のボルトと、２本のボルトを挿着する座金板とを備え、該座金板は、両側部にボルトのボルト軸部を挿通する挿通孔とボルトの六角形状のボルト頭部の側面に沿って延びるボルト回動規制部を有し、座金板の挿通孔にボルトのボルト軸部を挿通し、ボルト回動規制部の内側にボルト頭部を配置してボルトの回動を規制し、ボルト頭部の頂面を超えて延びるボルト回動規制部の先端部を内側に折り曲げてボルトのボルト軸部と反対側への移動を規制することを特徴とする。
【０００９】
この発明によれば、ボルトは、ボルト回動規制部によって回動が規制されるとともに、折り曲げられたボルト回動規制部の先端部によってボルト軸部と反対側への移動が規制されることにより、ナットを締め付ける際にボルト頭部を押さえ付けてボルトの軸方向への移動やボルトの回動を規制する必要がない。このため、ボルト回動規制部によるボルトの回り止め機能の信頼性を常に高い状態にすることができる。その結果、耕耘軸をフランジに固着する作業やフランジから耕耘軸を脱着する作業の作業性を向上させることができる。またボルトは市販品のものを使用することができ、座金板は板金の折り曲げ加工等によって形成されるので、耕耘爪締結装置のコストを安価にすることができる。
【００１０】
また本発明は、挿通孔をバーリング加工してボルト回動規制部が配設された側と反対側へ延びる筒状部を設け、挿通孔から延びるボルト軸部の基部側を囲む筒状部をかしめて、座金板に対するボルトの軸方向への移動を規制することを特徴とする。
【００１１】
この発明によれば、ボルト軸部は挿通孔に形成された筒状部によってかしめられることにより、ボルトが挿通孔から抜け出るのを規制する抜け止め機能をより向上させることができ、またボルトと座金板との一体性が向上して、耕耘爪締結装置のフランジへの挿着作業の作業性を向上させることができる。
【００１２】
また本発明は、耕耘軸に設けられたフランジに耕耘爪を取り付ける耕耘爪締結装置であって、耕耘爪の基部に設けられた一対の連通孔からフランジに設けられた一対の各爪取付孔に挿通されてナットと螺合して耕耘爪の基部をフランジに固着する２本のボルトと、２本のボルトを挿通する座金板とを備え、該座金板は、両側部にボルトのボルト軸部を挿通する挿通孔とボルトの六角形状のボルト頭部の側面に沿って延びるとともに該ボルト頭部の座面側から頂面の手前側に延びるボルト回動規制部を有し、座金板の挿通孔にボルトのボルト軸部を挿通し、ボルト回動規制部の内側にボルト頭部を配置してボルトの回動を規制し、挿通孔はバーリング加工されてボルト回動規制部が配設された側と反対側へ延びる筒状部を備え、挿通孔から延びるボルト軸部の基部側を囲む筒状部をかしめて、座金板に対するボルトの軸方向への移動を規制することを特徴とする。
【００１３】
この発明によれば、ボルト回動規制部によってボルトの回動が規制され、ボルト軸部は挿通孔に形成された筒状部によってかしめられ、ボルト回動規制部がボルト頭部の座面側から頂面の手前側に延びることにより、座金板に対してボルトの回動が規制されるとともに、ボルト軸方向への移動が規制される。このため、ナットを締め付ける際にボルト頭部を押さえ付けてボルトの軸方向への移動やボルトの回動を規制する必要がない。その結果、ボルト回動規制部によるボルトの回り止め機能の信頼性を常に高い状態にすることができ、耕耘軸をフランジに固着する作業やフランジから耕耘軸を脱着する作業の作業性を向上させることができる。またボルトは市販品のものを使用することができ、座金板は板金の折り曲げ加工等によって形成されるので、耕耘爪締結装置のコストを安価にすることができる。さらにボルト回動規制部はボルト頭部の座面から頂面の手前側までしか延びていないので、ボルト頭部の頂面側の側面は露出した状態にある。このため、スパナやメガネレンチ等の工具の使用が可能であり、その結果、耕耘爪の交換作業のような耕耘軸を備えた耕耘ロータがフリーな状態の方が作業がし易い場合、スパナ等をボルト頭部に係合させることで、耕耘ロータの回動を規制して耕耘爪の着脱作業を容易に行うことができる。
【発明の効果】
【００１４】
本発明に係わる耕耘爪締結装置によれば、ボルト回動規制部によってボルトの回動を規制し、折り曲げられたボルト回動規制部の先端部によってボルト軸部と反対側への移動を規制することにより、コストが安価であって、ボルトの回り止め機能に対する信頼性の高い耕耘爪締結装置を提供することができる。
【発明を実施するための最良の形態】
【００１５】
以下、本発明に係る耕耘爪締結装置について、図１から図３を参照して説明する。耕耘爪締結装置１は、図１に示すように、耕耘軸８０に設けられたフランジ８１に耕耘爪８５を取り付けるためのものであり、耕耘爪８５の基部８６に設けられた一対の連通孔８７，８８からフランジ８１に設けられた一対の各爪取付孔８２，８３に挿通されてナットと螺合して耕耘爪８５の基部８６をフランジ８１に固着する２本のボルト１０と、２本のボルト１０のボルト頭部と耕耘爪８５の基部８６との間に配置されて２本のボルト１０を挿通する座金板３０とを備えてなる。
【００１６】
ボルト１０は、図２（ａ）（側面図）及び（ｂ）（平面図）に示すように、市販品と同一形状であり、先端部に雄ねじ１１ａを形成したボルト軸部１１と、この基端部に繋がったボルト頭部１３とを有してなる。
【００１７】
座金板３０は、板金製であり、両側部にボルト１０のボルト軸部１１を挿通する挿通孔３１を有し、且つ六角形状のボルト頭部１３の側面に沿って延びるとともにボルト頭部１３の座面１３ａ側から頂面１３ｂ側に延びるボルト回動規制部３３を有する。ボルト回動規制部３３は座金板３０の両端部に設けられ、連続的に繋がる４つの平面部３３ａ，３３，３３ｃ，３３ｄを有して構成されている。４つの各平面部３３ａ，３３，３３ｃ，３３ｄは六角形状のボルト頭部１３の側面１３ｃに面するように近接配置され、ボルト頭部１３の側面１３ｃがこれらの平面部３３ａ，３３，３３ｃ，３３ｄに当接して、ボルト１０の回動を規制する。
【００１８】
４つの平面部３３ａ，３３，３３ｃ，３３ｄのうち対向配置された２つの平面部３３ａ，３３ｄはボルト頭部１３の頂面１３ｂを超えて延びてその先端部は内側に折り曲げられている。このため、ボルト１０は、この内側へ折り曲げられた突出部３３ｅによってボルト１０の座面１３ａと反対側への移動が規制される。なお、挿通孔３１をバーリング加工してボルト回動規制部３３が配設された側と反対側に筒状部３２を形成し、挿通孔３１から延びるボルト軸部１１の基部側を囲む筒状部３２をかしめて、座金板３０に対するボルト１０の軸方向への移動を規制するようにして、ボルト１０の座金板３０に対する抜け止めをより確実にしてもよい。
【００１９】
次に、この耕耘爪締結装置１を用いて前述した耕耘爪８５を耕耘軸８０のフランジ８１に固定する方法について説明する。先ず、図１に示すように、耕耘爪８５の基部８６をフランジ８１の一対の爪取付孔８２，８３に対向配置して、耕耘爪８５の基部８６に設けられた一対の連通孔８７，８８と一対の爪取付孔８２，８３とを連通させる。そして、耕耘爪締結装置１の２本のボルト１０を一対の連通孔８７，８８から一対の各爪取付孔８２，８３に挿通させる。そして、図２（ｃ）（側面図）に示すように、爪取付孔８２，８３から突出したボルト軸部１１の先端部にナット４０を螺合して、耕耘爪８５の基部８６を締め付けて耕耘爪８５をフランジ８１に固着する。
【００２０】
ここで、座金板３０の両端部にはボルト１０が座金板３０に対して回動規制され且つ抜け止めされているので、２本のボルト１０は耕耘爪８５の連通孔８７，８８からフランジ８１の各爪取付孔８２，８３に同時に挿通される。また、この２本のボルト１０にナット４０をそれぞれに強く締め付けてもこの２本のボルト１０が回ることはなく、各ボルトのボルト頭部１３を押さえ付ける必要もない。
【００２１】
このように、図１に示すように、耕耘軸８０のフランジ８１に耕耘爪８５を固着する際には、耕耘爪８５を固着するボルト１０を２本１組として同時に耕耘爪８５の基部８６とフランジ８１に装着でき、ボルト１０を１本ずつ装着する必要がない。このため、フランジ８１に対する耕耘爪８５の装着を簡単な操作で短時間に行うことができる。
【００２２】
またボルト１０は座金板３０に対して回動規制されるとともに、抜け止めされているので、回り止め機能が低下する虞はなく、回り止め機能の信頼性は高い。従って、フランジ８１に対する耕耘爪８５の装着作業を常に簡単な操作で行うことができる。
【００２３】
また図３（ａ）（側面図）、（ｂ）（平面図）及び（ｃ）（側面図）に示すように、ボルト回動規制部３３の４つの平面部３３ａ，３３，３３ｃ，３３ｄの全てをボルト頭部１３の座面１３ａから頂面１３ｂの手前側まで延ばしてボルト１０の回動を規制し、挿通孔３１をバーリング加工してボルト回動規制部３３が配設された側と反対側に筒状部３２を形成し、挿通孔３１から延びるボルト軸部１１の基部側を囲む筒状部３２をかしめて、座金板３０に対するボルト１０の軸方向への移動を規制してもよい。
【００２４】
このようにすると、前述した図２に示す耕耘爪締結装置１と同様の効果（耕耘爪８５の装着作業の容易化、回り止め機能の信頼性の向上）を得ることができるとともに、ボルト頭部１３の側面１３ｃの上部は露出状態にあるのでスパナやメガネレンチの使用を可能にすることができる。このため、耕耘爪の交換作業のように前述した耕耘ロータがフリーな状態（例えば、ＰＴＯクラッチが切断されて耕耘ロータがフリーに回転できる状態）の方が作業し易いような場合、手作業でナット４０を締め付けようとすると、その反動で耕耘ロータが回転して作業がやり難くまた危険であるが、ボルト頭部１３は六角形状をしているので、スパナやメガネレンチの使用が可能であり、ボルト頭部１３にスパナ等を係合させることで、耕耘ロータの回動を規制することができ、安全に耕耘爪の着脱作業を行うことができる。
【図面の簡単な説明】
【００２５】
【図１】本発明の一実施の形態に係わる耕耘爪締結装置によって耕耘爪をフランジに固着した耕耘ロータの断面図を示す。
【図２】耕耘爪締結装置を示し、同図（ａ）は耕耘爪締結装置の側面図であり、同図（ｂ）は耕耘爪締結装置の平面図であり、同図（ｃ）は耕耘爪締結装置の側面図である。
【図３】他の耕耘爪締結装置を示し、同図（ａ）は他の耕耘爪締結装置の側面図であり、同図（ｂ）は他の耕耘爪締結装置の平面図であり、同図（ｃ）は他の耕耘爪締結装置の側面図である。
【図４】従来の耕耘爪締結装置を示し、同図（ａ）は従来の耕耘爪締結装置の側面図であり、同図（ｂ）は従来の耕耘爪締結装置の断面図である。
【符号の説明】
【００２６】
１  耕耘爪締結装置
１０  ボルト
１１  ボルト軸部
１３  ボルト頭部
１３ａ  座面
１３ｂ  頂面
１３ｃ  側面
３０  座金板
３１  挿通孔
３２  筒上部
３３  ボルト回動規制部
４０  ナット
８０  耕耘軸
８１  フランジ
８２，８３  爪取付孔
８５  耕耘爪
８６  基部
８７，８８  連通孔
【図１】
2006230307.tif 000003
【図２】
2006230307.tif 000004
【図３】
2006230307.tif 000005
【図４】
2006230307.tif 000006